(57)【特許請求の範囲】
【請求項１】
複数の携帯電話端末と、認証サーバと、これらを接続する通信網を含んで構成される前記携帯電話端末の利用者を認証する利用者認証システムであって、
前記認証サーバは、前記携帯電話端末別に過去の通信履歴情報を記憶する通信履歴情報記憶手段と、
この通信履歴情報記憶手段に記憶されている通信履歴情報に基づいて前記携帯電話端末別に質問を作成する質問作成手段と、
この質問作成手段が作成した質問を該当する前記携帯電話端末に送って回答を求め、正解が得られた場合に利用者に認証を与える回答認証手段と、
前記携帯電話端末から送られる暗証番号を予め登録されている前記携帯電話端末別の暗証番号と照合して認証を行う暗証情報認証手段を有し、
前記質問作成手段は、前記暗証情報認証手段によって認証が得られた後、当該携帯電話端末に対して、前記通信履歴情報記憶手段に記憶されている通信履歴情報に基づいて質問を作成するようにして成り、
前記通信履歴情報は、受話日時、送話者名を含む受話履歴と、送話日時、送話先名を含む送話履歴と、受信日時、送信者名を含むメール受信履歴と、送信日時、送信先名を含むメール送信履歴とを含むことを特徴とする利用者認証システム。
【請求項２】
前記携帯電話端末は、ＧＰＳ測位手段を備え、前記通信履歴情報の前記受話履歴にこのＧＰＳ測位手段で測位された受話場所の位置情報を、前記送話履歴にこのＧＰＳ測位手段で測位された送話場所の位置情報を含めることを特徴とする請求項１記載の利用者認証システム。
【請求項３】
前記携帯電話端末は、撮像手段を備え、前記通信履歴情報の前記受話履歴に及び前記送話履歴に前記撮像手段で撮影した送受話場所の映像を含めることを特徴とする請求項１又は２記載の利用者認証システム。
【請求項４】
前記携帯電話端末は、通常時はロック対象事項またはロック対象機能をロックしておき、前記認証サーバから最終認証を受信したときにそのロックを解除するロック手段をさらに備えることを特徴とする請求項１乃至３のいずれか一に記載の利用者認証システム。
【請求項５】
前記ロック対象事項は、前記携帯電話端末の記憶手段に記憶されているデータであることを特徴とする請求項４記載の利用者認証システム。
【請求項６】
前記ロック対象機能は、電子的な決済機能や保証機能を実施する電子サービス機能であり、前記携帯電話端末はこれらの電子サービス機能を提供するためのＩＣカードまたはＩＣチップを備えていることを特徴とする請求項４記載の利用者認証システム。
【請求項７】
前記電子サービス機能は、電子マネー機能、クレジットカード機能、定期券機能または社員証機能のうちの少なくとも１つの機能であることを特徴とする請求項６記載の利用者認証システム。
【請求項８】
携帯電話端末別に通信履歴情報を記憶しておく通信履歴情報記憶工程と、
前記携帯電話端末から送られる暗証番号を予め登録された暗証番号と照合してこれらが一致したとき、前記携帯電話端末利用者に１次の認証を与える１次認証工程と、
前記１次認証工程において前記携帯電話端末利用者に１次の認証を与えた後、前記通信履歴情報記憶工程で記憶した通信履歴情報に基づいて質問を作成する質問作成工程と、
前記質問作成工程で作成した質問を前記携帯電話端末に送って回答を求める質問送付工程と、
前記質問送付工程で送られた質問に対して前記携帯電話端末から送られた回答が正解であったとき、前記携帯電話端末利用者に最終認証を与える最終認証工程とを備えて成り、
前記通信履歴情報は、受話日時、送話者名を含む受話履歴と、送話日時、送話先名を含む送話履歴と、受信日時、送信者名を含むメール受信履歴と、送信日時、送信先名を含むメール送信履歴とを含むことを特徴とする利用者認証方法。
【請求項９】
前記最終認証工程で出力される最終認証結果に応じて、ロック対象事項またはロック対象機能のロックを解除するロック解除工程をさらに備えることを特徴とする請求項８に記載の利用者認証方法。
【請求項１０】
携帯電話端末別に暗証番号を記憶する暗証情報記憶手段と、
前記携帯電話端末別に通信履歴情報を記憶する通信履歴情報記憶手段と、
前記携帯電話端末から送られる暗証番号を前記暗証情報記憶手段に登録されている暗証番号と照合して認証を行う暗証情報認証手段と、
前記暗証情報認証手段によって暗証番号が認証された後、前記通信履歴情報記憶手段に記憶されている通信履歴情報に基づいて前記携帯電話端末別に質問を作成する質問作成手段と、
前記質問作成手段が作成した質問を該当する前記携帯電話端末に送って回答を求め、正解が得られた場合に当該携帯電話端末に最終認証を与える回答認証手段とを備えて成り、
前記通信履歴情報は、受話日時、送話者名を含む受話履歴と、送話日時、送話先名を含む送話履歴と、受信日時、送信者名を含むメール受信履歴と、送信日時、送信先名を含むメール送信履歴とを含むことを特徴とする認証サーバ。
【請求項１１】
コンピュータに、請求項８又は９記載の利用者認証方法を実行させるための利用者認証プログラム。
【発明の詳細な説明】
【技術分野】
【０００１】
本発明は、携帯電話端末とその利用者を認証する利用者認証システム、利用者認証方法、前記利用者認証システムを構築するに適した認証サーバ及び携帯電話端末、利用者認証プログラムに関する。
【背景技術】
【０００２】
近年、携帯電話端末の利用方法が大幅に拡大して、電子マネー機能やクレジットカード機能あるいは電子鍵機能といった電子決済機能を用いるような用途が大幅に増えてきている。このような用途では、高度なセキュリティが必要である。
高度なセキュリティを与える方法の一つとして第一の暗証番号による認証に加えて、二つ目の暗証番号を追加する方法が考えられる。この方法は技術的には容易であるが、ユーザーが二つの暗証番号を管理し、定期的に変更しなければならず、管理がユーザーの負担になるということが課題であった。
【０００３】
このような問題を解決する従来の技術として、例えば、予め、個人情報データベースに登録してある発信履歴の電話番号を基にした個人認証質問を携帯端末に送信し、得られた解答が正しいときに認証を与える方法（特許文献１参照）、利用者別の質問とそれに対する回答を予め対応付けて記憶し質問に対する回答が正しいとき認証を与える方法（特許文献２参照）、複数の暗証番号を登録しておき時間帯や要求順序、識別情報などに応じて使い分けて認証を与える方法（特許文献３参照）が報告されている。
【０００４】
また、第三者機関に予め携帯電話番号、メールアドレス、本人自画像、本人が指定する三択回答、認証番号などを登録し、これら複数の認証事項の一致から認証を行う方法（特許文献４参照）、本人が通常携行するデバイスから本人の行動履歴情報を予め収集管理しておいてこれらの行動履歴情報を基にした質問に対する回答を元に認証を行う方法（特許文献５参照）などが報告されている。
【０００５】
【特許文献１】特開２００４−３０６８２１号公報
【特許文献２】特開２００７−３４７２７号公報
【特許文献３】特開２００７−１２４４７０号公報
【特許文献４】特開２００３−２６３５１９号公報
【特許文献５】特開２００３−９９４０３号公報
【発明の開示】
【発明が解決しようとする課題】
【０００６】
上記したように、近年、携帯電話端末を使用した電子決済などが広く用いられるようになり、高度なセキュリティが求められるようになっている。その方法の１つとして第２の暗証番号を追加して用いる方法が考えられるが、利用者にとって２つの暗証番号を管理して利用するのは負担が大きかった。
【０００７】
本発明は、複数の暗証番号の利用に際し、多様な項目を認証サーバに登録させるようにして、一層、セキュリティを強化するとともに、利用者にとって負担が少ない利用者認証機能を実現する認証用サーバ、携帯電話端末、利用者認証システム、利用者認証方法および利用者認証プログラムの提供を課題とする。
【課題を解決するための手段】
【０００８】
上記課題を解決するため、本発明にかかる利用者認証システムは、複数の携帯電話端末と、認証サーバと、これらを接続する通信網を含んで構成される前記携帯電話端末の利用者を認証する利用者認証システムであって、前記認証サーバは、前記携帯電話端末別に過去の通信履歴情報を記憶する通信履歴情報記憶手段と、この通信履歴情報記憶手段に記憶されている通信履歴情報に基づいて前記携帯電話端末別に質問を作成する質問作成手段と、この質問作成手段が作成した質問を該当する前記携帯電話端末に送って回答を求め、正解が得られた場合に利用者に認証を与える回答認証手段とを備えることを特徴としている。
認証サーバは、質問作成手段が通信履歴情報記憶手段に記憶されている通信履歴情報に基づいて前記携帯電話端末別に質問を作成し、回答認証手段が前記質問を該当する携帯電話端末に送って回答を求め、正解が得られた場合に利用者に認証を与える。
【０００９】
また、上記課題を解決するため、本発明にかかる利用者認証方法は、予め携帯電話端末別に暗証番号を登録しておく暗証番号記憶工程と、前記携帯端末別に通信履歴情報を記憶しておく通信履歴情報記憶工程と、前記携帯電話端末から送られる暗証番号を前記暗証番号記憶工程で記憶した暗証番号と照合してこれらが一致したとき、前記携帯電話端末利用者に１次の認証を与える１次認証工程と、前記通信履歴情報記憶工程で記憶した通信履歴情報に基づいて質問を作成する質問作成工程と、前記質問作成工程で作成した質問を前記携帯電話端末に送って回答を求める質問送付工程と、前記質問送付工程で送られた質問に対して前記携帯電話端末から送られた回答が正解であったとき、前記携帯電話端末利用者に最終認証を与える最終認証工程とを備えたことを特徴としている。
【００１０】
暗証番号記憶工程では、予め携帯電話端末別に暗証番号を登録しておく。通信履歴情報記憶工程では、前記携帯端末別に通信履歴情報を記憶しておく。１次認証工程では、前記携帯電話端末から送られる暗証番号を前記暗証番号記憶工程で記憶した暗証番号と照合してこれらが一致したとき、前記携帯電話端末利用者に１次の認証を与える。質問作成工程では、前記通信履歴情報記憶工程で記憶した通信履歴情報に基づいて質問を作成する。質問送付工程では、前記質問作成工程で作成した質問を前記携帯電話端末に送って回答を求める。最終認証工程では、前記質問送付工程で送られた質問に対して前記携帯電話端末から送られた回答が正解であったとき、前記携帯電話端末利用者に最終認証を与える。
【００１１】
さらに、上記課題を解決するため、本発明にかかる認証サーバは、携帯電話端末別に暗証番号を記憶する暗証情報記憶手段と、前記携帯電話端末別に通信履歴情報を記憶する通信履歴情報記憶手段と、前記携帯電話端末から送られる暗証番号を前記暗証情報記憶手段に登録されている暗証番号と照合して認証を行う暗証情報認証手段と、前記暗証情報認証手段によって暗証番号が認証された後、前記通信履歴情報記憶手段に記憶されている通信履歴情報に基づいて前記携帯電話端末別に質問を作成する質問作成手段と、前記質問作成手段が作成した質問を該当する前記携帯電話端末に送って回答を求め、正解が得られた場合に当が携帯電話端末に認証を与える回答認証手段とを備えることを特徴としている。
【００１２】
また、上記課題を解決するため、本発明にかかる携帯電話端末は、基地局を介してネットワークに接続され認証サーバと通信を行う無線通信手段と、文字、記号や画像を表示する表示手段と、この表示手段に表示される映像信号の色補正、形式変換、画質改善などの画像処理を行う画像処理手段と、テンキー、スクロールキー、決定キーおよびファンクションキーを用いて端末自身を操作する操作手段と、送話器と受話器の操作およびこれらを経由する音声信号を変復調処理する音声信号処理手段と、撮像と撮像映像の記憶を行う撮像手段と、電話帳情報、メール送受信履歴情報、送受話履歴情報や映像、コンテンツ、アプリケーションプログラムおよび操作上の諸設定を記憶するする記憶手段と、これらの各機能手段の制御を行う制御手段と、ＧＰＳ測位手段と、前記記憶手段に記憶されている送受話履歴情報に前記ＧＰＳ測位手段で測位した受話場所情報および送話場所情報を加えた通信履歴情報を前記認証サーバに送信する通信履歴情報送信手段とを備えることを特徴としている。
通信履歴情報送信手段は、記憶手段に記憶されている送受話履歴情報にＧＰＳ測位手段で測位した受話場所情報および送話場所情報を加えた通信履歴情報を認証サーバに送信する。
【００１３】
さらに、上記課題を解決するため、本発明にかかる利用者認証プログラムは、コンピュータを、携帯電話端末から送られる暗証番号を、暗証情報記憶手段に携帯電話端末別に記憶されている暗証番号と照合して認証を行う暗証情報認証手段と、前記暗証情報認証手段によって暗証番号が認証された後、携帯電話端末別に通信履歴情報記憶手段に記憶されている通信履歴情報に基づいて前記認証を行った携帯電話端末に質問を作成する質問作成手段と、前記質問作成手段が作成した質問を前記携帯電話端末に送って回答を求め、正解が得られた場合に当該携帯電話端末に認証を与える回答認証手段として機能させることを特徴としている。
【００１４】
コンピュータは、プログラムを実行することにより、携帯電話端末から送られる暗証番号を、暗証情報記憶手段に携帯電話端末別に記憶されている暗証番号と照合して認証を行う暗証情報認証手段と、前記暗証情報認証手段によって暗証番号が認証された後、携帯電話端末別に通信履歴情報記憶手段に記憶されている通信履歴情報に基づいて前記認証を行った携帯電話端末に質問を作成する質問作成手段と、前記質問作成手段が作成した質問を前記携帯電話端末に送って回答を求め、正解が得られた場合に当該携帯電話端末に認証を与える回答認証手段として機能する。
【発明の効果】
【００１５】
本発明は以上のように構成され機能するので、暗証番号と質問回答を認証に用い、質問の元となる通信履歴情報に位置情報など多様な要素を加えているので、セキュリティを一層強化するとともに利用者の負担を少なくすることが可能な利用者認証システムとそのシステムで用いられる認証サーバ、携帯電話端末、利用者認証方法および利用者認証プログラムを提供することができる。
【発明を実施するための最良の形態】
【００１６】
次に、発明を実施するための最良の形態について図面を参照して詳細に説明する。
図１は、本発明における利用者認証システムの一実施形態の構成を示すブロック図である。
本実施の形態の構成は大きく、ユーザー端末である携帯電話端末１００と、認証を行う認証サーバ１０１と、携帯電話端末１００が通信する通信網１０２と、携帯電話端末１００が位置情報を取得するＧＳＰ衛星１０３とから構成されているとする。
【００１７】
携帯電話端末１００の内部の機能ブロックを図１に沿って説明する。携帯電話端末１００は、装置全体を制御する制御部１２、暗証番号情報や通信履歴情報を含む情報を格納し制御部１２の演算処理にも用いられる記憶部１３、入力を行うテンキー、十字キー、サイドキーなどの入力キー１１、通信網１０３を介して認証サーバ１０１などと通信を行う無線通信部１４、ＧＰＳ衛星１０３と通信を行い位置情報を取得するＧＰＳ（Global Positioning System）機能部１６、画像を撮影する為のカメラモジュール１５などで構成される。
【００１８】
次に、携帯電話端末１００の利用者の認証を行う機能を担う認証サーバ１０１について説明する。認証サーバ１０１の構成は、中央処理装置（ＣＰＵ）（図示せず）がプログラムを実行することによって実現する機能をブロック図で表している。
まず、無線通信部２２は通信網１０２を介して通信を行う機能を有している。無線通信部２２は、システム構成によっては有線接続、または携帯電話端末１００と直接通信できるという構成を取ることも可能である。
【００１９】
制御部２１がサーバ装置全体の制御を行う。この制御部２１には、携帯電話端末１００別に記憶部２３の通信履歴情報記憶部２３１に記憶されている通信履歴情報を元に認証用の質問を作成する質問作成部２１１、この質問に対して携帯電話端末１００から送られる回答を判定して、正解である場合に携帯電話端末１００の利用者に認証を与える回答認証部２１３、携帯電話端末１００から送られる第１の暗証情報である暗証番号を記憶部２３の暗証番号記憶部２３２に予め登録され記憶されている暗証番号と照合して一致した場合に当該暗証番号についての認証を与える暗証番号認証部２１２が含まれる。
【００２０】
記憶部２３には、複数の携帯電話端末１００別に通信履歴情報を記憶する通信履歴情報記憶部２３１と、暗証番号を記憶する暗証番号記憶部２３２が設けられている。また、記憶部２３には、前記ＣＰＵが実行するプログラムが格納されており、前記プログラムを実行することによって後述する処理を行う。
ここで、記憶部２３は第１記憶手段を構成しており、通信履歴情報記憶部２３１、暗証番号記憶部２３２は各々、通信履歴情報記憶手段、暗証情報記憶手段を構成している。また制御部２１は制御手段を構成しており、質問作成部２１１は質問作成手段を、暗証番号認証部２１２は暗証情報認証手段を、回答認証部２１３は回答認証手段を各々構成している。
【００２１】
携帯電話端末１００が通信を行う通信網１０２については、図１では、本実施形態の発明内容に関する部分だけを簡略化して記載している。ここでは、図示しない無線基地局などを含めた無線部３１、通信網全体を制御する制御部３２、携帯電話端末１００別に通信履歴（送受信別、時刻、通話時間、電話番号、相手先の氏名）、等の取得可能な通信履歴情報を保存している通信履歴情報保存部３３とで構成されている。
本実施の形態では、無線部３１は認証サーバ１０１の無線通信部２２、携帯電話端末１００の無線通信部１４と通信するものとする。
次に、ＧＰＳ衛星１０３は、携帯電話端末１００がこれに対して通信することによって、自己の位置情報を取得することができる構成である。
【００２２】
図２は、携帯電話端末１００の装置内部ブロックの詳細を補足説明として詳しく記載したものである。
携帯電話端末１００は、通信網１０２と通信する為に、無線通信部１４にはアンテナ１４１が設けられている。制御部１２を中心にデータを記憶する記憶部１３、時刻を計測する時計１７、各種動作をユーザーに発光することで報知するＬＥＤ１８、表示画面に文字や画像を表示するＬＣＤ１９を備えている。
【００２３】
また、携帯電話端末１００は、このＬＣＤ１９やキーを照らすバックライト１Ａ、音声でユーザーに報知するスピーカー１Ｂ、テンキー、サイドキー、十字キーなどからなる入力を行うための入力キー１１、音声を入力するマイクロフォン１Ｃ、通話中の音声をユーザーが受話する際に使用するレシーバ１Ｄ、画像の撮影を行うカメラモジュール１５、位置情報を取得するＧＳＰ１６とその通信を行うためのアンテナ１６１で構成される。
【００２４】
制御部１２には、ロック機能部１２１と、解除部１２２と、電子サービス機能１２３および電子サービス機能１２３を動作させる半導体集積回路（ＩＣ）チップまたはＩＣカード１２４とが含まれている。
記憶部１３と電子サービス機能１２３とは通常はロック機能部１２１によってロックされていて、携帯電話端末１００が認証サーバ１０１に認証を求め、認証サーバ１０１の暗証番号認証部２１２および回答認証部２１３の両者から認証を受けることによって最終認証が得られたとき、解除部１２２がロック機能部１２１を解除することによって、記憶部１３からデータを読み出すことができるようになり、あるいは、電子サービス機能１２３を使用することができるようになる。
【００２５】
尚、ロック機能部１２１及び解除部１２２はロック手段を構成している。記憶部１３は記憶手段を構成し、カメラモジュール１５は撮像手段を構成し、ＧＰＳ機能部１６は携帯電話端末１００の位置を測定するＧＰＳ測位手段を構成している。また、無線通信部１４は無線通信手段を構成し、ＬＣＤ１９は表示手段を構成し、入力キー１１は操作手段を構成し、制御部１２は画像処理手段、音声信号信号処理手段、制御手段、通信履歴情報送信手段を構成している。
【００２６】
図３の図表４１は、ロック機能部１２１を解除する２つの暗証情報（暗証番号である第１の暗証情報、後述するような質問に答える形式の第２の暗証情報）のまとめを表している。まず、従来のセキュリティ方法として使用される第１の暗証情報は一般的にはユーザーが英数字の組み合わせで設定できる構成とされている。
本実施の形態では、さらにセキュリティを高めるために、第２の暗証情報を使用して第２の認証を行う。
【００２７】
そのために認証サーバ１０１の質問作成部２１１にて、該当携帯電話端末１００の通信履歴情報を基に作成した多岐選択式の質問が生成されこの質問にユーザーが回答し、その照合結果が正しい場合には第２の認証取得となり、ロック機能部１２１のロックが解除される。
図４の図表５１は、第２の暗証情報解除用質問を生成するための通信履歴情報が認証サーバ１０１の記憶部２３の通信履歴情報記憶部２３１に格納されている形式を表している。
通信履歴情報は、本実施の形態では、携帯電話端末１００から、通信網１０２を介して認証サーバ１０１へと送信される。
【００２８】
次に、本利用者認証システムの実施形態での各部の動作を説明する。
図５は、利用者認証システムの動作を説明したフローチャートである。
図５のステップＳ５０で、利用者が認証取得を開始すると、ステップＳ５１で、利用者は従来式の暗証番号を第１の暗証情報として携帯電話端末１００に入力して認証サーバ１０１に送信する。
【００２９】
次にステップＳ５２では、認証サーバ１０１で暗証番号が正しいかどうかの照合判定を暗証番号認証部２１２で行い、結果が正しければその後、認証サーバ１０１はステップＳ５３で、第２の暗証番号解除用の質問を質問作成部２１１で生成する。
ここで、ステップＳ５２は１次認証工程を構成し、ステップＳ５３は質問作成工程を構成している。
【００３０】
そうして、質問作成部２１１はステップＳ５４として質問を通信網１０２を介して携帯電話端末１００に送信する。ステップＳ５４は質問送付工程を構成している。
ステップＳ５５として、携帯電話端末１００のユーザーはその質問に回答する。ステップＳ５５は回答工程を構成している。
通信網１０２を介して回答を受信した認証サーバ１０１では、ステップＳ５６で回答認証部２１３にて正否を判定する。
【００３１】
回答認証部２１３は、回答が正しい場合には、ロック解除の許可を与えるための最終認証を行って、ステップＳ５７で第２暗証情報のロックの解除処理を携帯電話端末１００に通知する。携帯電話端末１００は最終承認を受けると、解除部１２２によってロック機能部１２１のロック解除処理を行う。これにより、最終承認を受けた携帯電話１００では、記憶部１３に記憶したデータや電子サービス機能１２３等の利用が可能になる。
ただし、このときの解除動作は解除して取得可能になるデータが携帯電話機内に存在する場合を想定している。ここで、ステップＳ５６、Ｓ５７は、ロック解除の許可を与えるための最終認証を行う最終認証工程を構成している。
【００３２】
一方、回答が不正解である場合にはステップＳ５８に進み、第２暗証番号解除の質問回答は何回目であるかを認証サーバの判定部２４で判定する。設定されたＮ回を超えた場合はステップＳ５９に進み、第２暗証番号のロックの非解除処理を行う。この処理の詳細はここでは記載しないが、例えば、携帯電話端末１００に対して暗証番号認証処理の中止処理を開始させる。Ｎ回以下である場合は、ステップＳ５３に戻り、基本動作としては前回回答した質問とは異なる質問が生成され開始される。
【００３３】
ここで、作成される質問について補足する。認証サーバ１０１内の通信履歴情報記憶部２３１に格納されている通信履歴情報の一例を図４の表５１に示す。
ここでは送受話履歴、メール送受信履歴ともそれぞれ最近の２件だけを記録しているように示されているが、記録件数は特に２件だけに限るものではなくもっと多数であってもよく、送受の件数を異ならせても差し支えない。即ち、所定数記録するように構成することができる。この場合、最近の所定数記録するように構成してもよい。
【００３４】
送受話履歴には開始時刻と終了時刻、相手先の電話番号と氏名、送受話場所を表すＧＰＳ位置情報が含まれ、必要があれば利用者がカメラモジュール１５で撮像した送受話場所付近の映像などを含めることができる。メール送受信記録には送受信時刻と相手先メールアドレスと氏名、必要があれば利用者が記録したい参考事項などを含めることができる。
認証サーバ１０１の質問作成部質問作成部２１１は通信履歴情報記憶部２３１に記載されている通信履歴の項目の中からユーザーが記憶しやすい項目をあらかじめ設定しておき、質問を作成開始する。
【００３５】
次にステップＳ５４として、多岐選択形式で作成された質問を、認証サーバ１０１から携帯電話端末１００に向けて送信する。携帯電話端末１００側では受信した質問がＬＣＤ１９に表示される。
図７の８０に、この質問の表示の一例を示す。生成された質問は太字で日付「３／７」、時刻情報から「１０：３５」、位置ＧＰＳにて同時刻に取得した位置情報から「横浜市都筑区池辺町４１１−５」、通話履歴情報から「２５分間通話した」、そして質問としては、通話の相手の氏名を多岐選択式で表示する。このときの不正解にあたる氏名情報は、ユーザーの過去の履歴情報の中や、任意にダミーとして追加される情報であるがここに関しては詳細の説明は省く。
【００３６】
また、他の質問例を、図８の９０に示す。この例は、日付け、時刻、ＧＰＳの位置情報を表示、その場所で携帯電話端末１００の利用者が、カメラモジュール１５で撮像した画像データを用いて質問として生成した場合を示している。
このときの画像に関しては、ユーザー本人が撮影した風景などの画像がＧＰＳの位置情報とリンクしていた場合、本人の記憶には残りやすいと感じることを前提とした実施例である。位置や時刻、通信履歴との組み合わせでユーザーが記憶しやすい場合には、任意に登録した画像データでも使用可能である。
【００３７】
以上説明したように、本実施の形態によれば、複数の携帯電話端末１００と、認証サーバ１０１と、これらを接続する通信網１０２を含んで構成される携帯電話端末の利用者を認証する利用者認証システムであって、認証サーバ１０１は、携帯電話端末別に過去の通信履歴情報を記憶する通信履歴情報記憶部２３１と、この通信履歴情報に基づいて携帯電話端末に質問を作成する質問作成部２１１と、作成された質問を該当する携帯電話端末１００に送って回答を求め、正解が得られた場合に利用者に認証を与える回答認証部２１３とを備えている。
【００３８】
これにより、複数の暗証番号の利用に際し、多様な項目を認証サーバに登録させるようにして、一層、セキュリティを強化するとともに、利用者にとって負担が少ない利用者認証機能を実現する利用者認証システム、方法が実現可能となる。
また、携帯電話端末１００の認証機能について、第１の暗証情報に加えて、第２の暗証情報をユーザーにしかわからないような通話履歴、時刻、画像ファイルなどの数値以外の情報を用いることにより、簡単な構成かつセキュリティを強化することが可能になる。
【００３９】
また、第２の暗証情報はユーザーの設定により時間経過後は自動的に認証情報を更新でき、かつ暗証番号を単純に追加する場合と異なり暗記しなおす必要が無いことで利便性が向上するという効果を奏する。
また、携帯電話端末１００の入力キー１１からから入力する第１の暗証情報は入力が容易な暗証番号にすると共に、更に第２の暗証情報を使用しているため、操作が容易になると共にセキュリティを向上することが可能になるという効果を奏する。
携帯電話端末１００の認証機能について、
【００４０】
尚、ステップＳ５７で、ロックされている機能を解除して利用できるようにしても良い。例えば、携帯電話端末１００に専用のＩＣチップまたはＩＣカードが内蔵されており、このＩＣチップまたはＩＣカードを用いて電子的な決済機能や保証機能を実施する電子サービス機能を解除するような方式が考えられる。
電子サービス機能としては、電子マネー機能、クレジットカード機能、定期券機能または社員証機能などが考えられ、これらのうちの少なくとも１つ、あるいは複数の機能が競ってされてこのステップＳ５７でロックが解除される仕組みである。
このようにすることで、携帯電話端末１００に電子マネーなどの機能を持たせるとともに、このような機能のセキュリティを高め、携帯電話端末１００を紛失したり、盗難にあったりした場合でも安全を保つことができる。
【００４１】
図６に、認証サーバ１０１が携帯電話端末１００の第２暗証情報用の通信履歴情報を取得する際の動作のフローチャートを示す。
ステップＳ６０でスタートし、ステップＳ６１で携帯電話端末１００の第２暗証情報用の通信履歴情報の取得を開始する。携帯電話端末１００は、ステップＳ６２で携帯電話端末１００の記憶部１３または通信網１０２の通信履歴情報保存部３３に記憶されている通信履歴情報を認証サーバ１０１に送る。認証サーバ１０１はステップＳ６３でこの情報を通信履歴情報記憶部２３１に格納する（通信履歴記憶工程）。
【００４２】
本発明の他の実施形態として、以下のような構成も可能である。
（１）第２暗証情報の質問生成過程において、生成パターンは本実施形態に記載する限りではなくユーザーの任意に定義することが可能である。例えば選択番号で表示する、画面を分割して分割された部分を指定するなどの例が考えられる。
（２）第２暗証情報を認証する認証サーバをユーザーの携帯電話端末本体内部に内蔵する構成も可能である。
（３）認証結果を認証サーバから携帯電話端末が取引や通話を行っている先方に送って保障することも可能である。
【産業上の利用可能性】
【００４３】
本発明は以上に述べたように構成され機能するので、携帯電話端末の安全で広範囲な利用を可能にすることができ、情報通信機器の業界、電子マネーなどを用いる流通業界などで広範な利用が考えられる。
【図面の簡単な説明】
【００４４】
【図１】本発明の実施の形態に係る利用者認証システムの構成を示すブロック図である。
【図２】図１に示す利用者認証システムの携帯電話端末のブロック図である。
【図３】ロック機能を解除する２つの暗証情報のまとめを表す図表である。
【図４】第２の暗証番号解除用質問を生成するための通信履歴情報の記録形式を表す図表である。
【図５】利用者認証システムの動作を説明したフローチャートである。
【図６】認証サーバが通信履歴情報を取得する際の動作のフローチャートである。
【図７】携帯電話端末に示される質問の表示の一例を示す図である。
【図８】携帯電話端末に示される質問の表示の他の例を示す図である。
【符号の説明】
【００４５】
１１  入力キー  
１２  制御部
１３  記憶部
１４  無線通信部
１５  カメラモジュール
１６  ＧＰＳ
２１  制御部
２２  無線通信部
２３  記憶部
３１  無線部
３２  制御部
３３  通信履歴情報保存部
１００  無線電話端末
１０１  認証サーバ
１０２  通信網
１０３  ＧＰＳ衛星
１２１  ロック機能部
１２２  解除部
１２３  電子サービス機能部
１２４  ＩＣチップ又はＩＣカード
【図１】
0005401830.tif 000002
【図２】
0005401830.tif 000003
【図３】
0005401830.tif 000004
【図４】
0005401830.tif 000005
【図５】
0005401830.tif 000006
【図６】
0005401830.tif 000007
【図７】
0005401830.tif 000008
【図８】
0005401830.tif 000009